(57)【特許請求の範囲】
【請求項１】
硬質材よりなり、橋梁の地覆に取付けられる水止めと、該水止めに一部が該水止めより下向きに突出して取付けられ、該水止めを前記地覆に取付けたとき、地覆に弾性変形して押付けられる軟質材と、前記水止めの長手方向にスライド可能に係合し、該水止めを押える係止部及び該係止部と一体をなして側方に延び、水止めより離れた箇所に取付孔を備えた取付部を有する取付金具と、前記地覆に埋設されるアンカーと、前記係止部を水止めに係合させた状態で前記取付部の取付孔を通して突出する前記アンカーの突出部分に捩じ込まれるか、或いは前記取付部の取付孔を通して前記アンカーに捩じ込まれる止着具よりなることを特徴とする地覆用止水装置。
【請求項２】
前記取付金具の係止部は前記水止めに上方より被さって嵌着することを特徴とする請求項１記載の地覆用止水装置。
【請求項３】
前記水止めは、前下がりに傾斜する前側面と、地覆面となす角αが９０°以下の後側面よりなる、断面が三角形をなすことを特徴とする請求項１又は２記載の地覆用止水装置。
【請求項４】
前記取付金具の係止部が長手方向に隣接して接続される水止めの継ぎ目に被せて取付けられることを特徴とする請求項２又は３のいずれかの請求項に記載の地覆用止水装置。
【発明の詳細な説明】
【技術分野】
【０００１】
本発明は、橋梁の地覆、床版の側端部等（以下、単に地覆という。したがって本明細書でいう地覆とは、橋梁の地覆、床版の側端部等を含むものとなる）に取付けられ、雨水が地覆から地覆側面に流れ落ちるのを防止する止水装置に関する。
【背景技術】
【０００２】
この種の水止めとして下記特許文献１には、長手方向に間隔をおいてボルト挿通孔が設けられ、床版に固定したアンカーにボルトをボルト挿通孔を通して捩込むことにより締着される水平な取付板と、該取付板の一側部から立ち上がる止水板からなり、硬質ゴムよりなる芯材を軟質ゴムで被覆してなる止水装置が開示されている。
【先行技術文献】
【特許文献】
【０００３】
【特許文献１】実願昭６３−１０９５８８号（実開平２−３３８０８号）のマイクロフィルム
【発明の概要】
【発明が解決しようとする課題】
【０００４】
前記特許文献１に開示される止水装置においては、床版の上面に取付けられるため、側面や下面に取付けられるものに比べ落下の危険性がなく安全で、しかも床版上面への施工は安全で、作業性もよいこと、ゴム製で比較的軽量であること、床版に当たる部分が軟質材であるため、床版に凹凸があっても凹凸に追従してシール性がよく、雨水の通り抜けを防止できること等の効果を有するが、床版に固定されるアンカーを止水装置のボルト挿通孔に対応した箇所に設けねばならず、アンカーの取付けが所定位置よりずれていると、止水装置を取付けることができないか、困難となり、ボルト挿通孔がアンカーの位置に合わないで取付けることができなければ、アンカーに合うような位置にボルト通し孔を新たに形成させねばならない。
【０００５】
本発明は、アンカーが地覆長手方向のどの位置に固定されていても取付けることが可能な止水装置を提供することを目的とする。
【課題を解決するための手段】
【０００６】
請求項１に係る発明は、硬質ゴム、硬質樹脂、金属、コンクリート等の  硬質材よりなり、橋梁の地覆に取付けられる水止めと、該水止めに一部が該水止めより下向きに突出して取付けられ、該水止めを前記地覆に取付けたとき、地覆に弾性変形して押付けられる軟質材と、前記水止めの長手方向にスライド可能に係合し、該水止めを押える係止部及び該係止部と一体をなして側方に延び、水止めより離れた箇所に取付孔を備えた取付部を有する取付金具と、前記地覆に埋設されるアンカーと、前記係止部を水止めに係合させた状態で前記取付部の取付孔を通して突出する前記アンカーの突出部分に捩じ込まれるか、或いは前記取付部の取付孔を通して前記アンカーに捩じ込まれる止着具よりなることを特徴とする。
【０００７】
請求項２に係る発明は、請求項１に係る発明において、前記取付金具の係止部は前記水止めに上方より被さって嵌着することを特徴とする。
【０００８】
請求項３に係る発明は、請求項１又は２に係る発明において、前記水止めは、前下がりに傾斜する前側面と、地覆面となす角αが９０°以下の後側面よりなる、断面が三角形、好ましくは内部が中空の三角形をなすことを特徴とする。
【０００９】
請求項４に係る発明は、請求項２又は３の発明において、前記取付金具の係止部が長手方向に隣接して接続される水止めの継ぎ目に被せて取付けられることを特徴とする。
【発明の効果】
【００１０】
請求項１に係る発明によると、橋梁の地覆に止水装置を取付けるときには、地覆にアンカーを地覆中の配筋を避けて埋設し、これに前後して地覆上に水止めを地覆に沿って設置したのち、係止部を水止めに係止させた状態で取付金具の係止部を水止めに沿ってずらし、取付部のボルト挿通孔をアンカーの位置に合わせる。アンカー位置に応じて取付金具の位置調整をしたのち、取付部の取付孔を地覆より突出するアンカーに差込み、取付部より突出するアンカーの突出部分に止着具のナットを捩込むか、又は止着具のボルトを取付部の取付孔を通して地覆中のアンカーに捩込み締着する。ナット又はボルトの捩込みに伴い、係止部が水止めを押え込み、軟質材を弾性変形させて地覆に密着させ、シールする。これにより地覆上の雨水が地覆の側面側に流出するのが阻止され、地覆側面や地覆に設けた水切りからの浸水や該浸水による発錆を防ぐことができる。またアンカーを既設の地覆に取付ける場合、地覆中の配筋を避けて任意の位置に取り付けることができる。
【００１１】
請求項２に係る発明によると、取付金具の係止部が水止めに上方より被せて嵌着することにより水止め全体が地覆に押付けられ、水止めの取付状態が安定する。
【００１２】
請求項３に係る発明によると、水止め上に降り注ぐ雨水が水止めの傾斜した前側面側に流出し、後側面側や該後側面側の地覆上に降り注ぐ雨水が少なくなり、地覆側面を伝って流れ落ちる雨水を少なくすることができる。また水止めは中空でなく、中が詰まった中実であってもよいが、内部を中空にすれば、水止めが軽量化され、スポンジを水止め内部に取付けることによりスポンジの水止めへの取付けが確実で、かつ容易に行える。
【００１３】
請求項４に係る発明によると、係止部が隣接して接続される水止めの継ぎ目プレートとして使用され、これにより水止めの継ぎ目が隠され、外観が向上すると共に、継ぎ目でのシールが行われ、水止め間の継ぎ目からの雨水の侵入を防ぐことができる。
【図面の簡単な説明】
【００１４】
【図１】本発明に係る止水装置要部の一部を切欠いて断面で表した斜視図。
【図２】橋梁の地覆に取付けた図１に示す止水装置の断面図。
【図３】図１に示す止水装置の取付金具を水止めの継ぎ目に取付けた斜視図。
【図４】地覆に取付けた別の実施形態の水止めの概略図。
【発明を実施するための形態】
【００１５】
以下、本発明の実施形態の止水装置について図面により説明する。
図１は、橋梁の地覆に取付けられる止水装置について示すもので、前下がりの前側面を備えた前側壁１ａと、垂直な後側面を備えた後側壁１ｂよりなり、内部が中空の断面直角三角状をなす硬質材、例えばＦＲＰ製の水止め１と、一定幅の取付金具２を有し、取付金具２は前下がりの前側壁２ａと、垂直な後側壁２ｂよりなり、前記水止め１に被さって嵌着し、全体が水止め１に密着する、水止め１と同形の係止部２ｃ及び、該係止部２ｃの前側壁２ａ下端より屈折して前側方に延び、取付孔２ｄを備えた取付部２ｅより形成され、水止め１を構成する前側壁１ａには内側下端に弾性変形が容易な軟質材、例えばゴム又は樹脂製のスポンジ３が一部を前側壁下端より下向きに突出して取着されている。
【００１６】
橋梁の地覆５に水止め１を取付けるに当たっては予め地覆５にアンカー６を埋設して取付けておく（図２参照）。このアンカー６は通常、水止め１を地覆５の所要部に設置するのに先立って水止め１の設置箇所より路面側の地覆５に地覆中の配筋を避けて埋設されるが、水止め１を地覆５に位置決めして置いてから後に地覆５への埋設工事を行うことも可能である。
【００１７】
水止め１を地覆５に設置したのち、図１に示すように取付金具２の係止部２ｃを水止め１に上方より被せて嵌着するが、取付金具２を後から取付けるのではなく、予め水止め１に取付けておいてから、取付金具２を装着した状態で水止め１を地覆５に設置することも可能である。
【００１８】
水止め１に係止金具２を装着した状態で係止部２ｃを地覆５に取付けた水止め１の長手方向に沿ってずらしながら取付金具２を構成する取付部２ｅの取付孔２ｄが地覆５に埋設されるアンカー６の位置に合うように取付金具２の位置調整を行う。取付孔２ｄがアンカー６に合致すると、取付孔２ｄをアンカー６に差込む。次に取付孔２ｅより突出するアンカー６の突出部分６ａに止着具としてのナット７を捩込み締着する。ナット７の捩じ込みに伴い、水止め１に嵌着する係止部２ａが水止め１を押え込み、地覆５に押付ける。この押付けにより水止め１の前側壁１ａ下端より下向きに突出するスポンジ３が圧縮されて弾性変形し、地覆５に密着する。図２はナット７を締着して固定した状態の地覆５に取付けられた止水装置を示す。
【００１９】
水止め１は先の尖った直角三角形状で、前下がりに傾斜する前側壁１ａと垂直な後側壁１ｂよりなるため、水止め上に降り注ぐ雨水は前側壁１ａを流れ落ちて地覆５より路面側に流出し、水止め１の後側壁１ｂ側に流れないか、ほとんど流れない。そのため地覆側面や地覆５に形成の水切り５ａからの浸水やこれによる地覆内部の鉄筋の発錆を防ぐことができる。
【００２０】
前記実施形態の止水装置では、取付金具２の取付部２ｅは取付孔２ｄを地覆５に埋設のアンカー６に差込み、取付部２ｅより突出するアンカー６の突出部分にナット７を捩じ込み締着しているが、止着具としてのボルトを取付孔２ｄに通し、地覆５に埋設のアンカーに捩じ込んで締着するようにしてもよい。
【００２１】
前記水止め１は地覆５の長手方向に沿って互いに突き当たるようにして接続され、取付金具２は個々の水止め１の適所に取付けられ、水止め１を固定するが、好ましくは図３に示すように互いに突き当たるようにして接続される隣接の水止め１の継ぎ目９に取付金具２を両水止め１の側端部に跨るようにして取付けられ、継ぎ目プレートとして使用される。
【００２２】
止水装置が図３に示すようにして取付けられ、継ぎ目プレートとして使用されると、水止め１の固定のみならず、水止め１の継ぎ目９が取付金具２で覆われてシール可能となり、水止め間の継ぎ目９からの雨水の侵入を防ぐことができるようになる。
【００２３】
図４に示す実施形態の止水装置は、水止め１１の後側壁１１ｂと地覆面５ｂのなす角αが鋭角（後側壁１１ｂより路面側の地覆面５ｂとなす角βは鈍角）をなすようにしたもので、水止め１１に降り注ぐ雨水は前記実施形態の水止め１と同様、前側壁１１ａより路面側に流出し、後側壁１１ｂには雨水が側方より吹き付けられない限り降り注ぐことはなく、したがって雨水が地覆側面に流出するのをより一層少なくすることができ、地覆側面や地覆５に形成の水切り５ａからの浸水や侵入による地覆内部の鉄筋の発錆を更に少なくすることができる。
【産業上の利用可能性】
【００２４】
本発明に係る止水装置は、既存の橋梁の地覆５に取付けるのに適するが、新設される橋梁の地覆にも勿論適用可能である。
【符号の説明】
【００２５】
１、１１・・水止め
１ａ、２ａ、１１ａ・・前側壁
１ｂ、２ｂ、１１ｂ・・後側壁
２・・取付金具
２ｃ・・係止部
２ｄ・・取付孔
２ｅ・・取付部
３・・スポンジ
５・・地覆
６・・アンカー
６ａ・・突出部分
７・・ナット
【図１】
0006611663.tif 000002
【図２】
0006611663.tif 000003
【図３】
0006611663.tif 000004
【図４】
0006611663.tif 000005